(57)【特許請求の範囲】
【請求項１】
注射針、シリンダ、及びプランジャを備える注射器において、
薬液容器からシリンダに至る吸引流路と、シリンダから注射針に至る注射流路とが形成され、
前記吸引流路には、ろ過手段と一方向弁手段が設けられ、
前記注射流路には、着脱式の開閉手段が設けられ、
前記吸引流路において、薬液容器からろ過手段までの流路は、前記注射針の外周面及び前記注射流路とは独立して形成され、
前記吸引流路の入口と前記注射流路の出口が同軸上に位置し、前記吸引流路の出口と前記注射流路の入口を共有することを特徴とするフィルタ注射器。
【請求項２】
注射針、シリンダ、及びプランジャを備える注射器において、
薬液容器からシリンダに至る吸引流路と、シリンダから注射針に至る注射流路とが形成され、
前記吸引流路には、ろ過手段と一方向弁手段が設けられ、
前記注射流路には、着脱式の開閉手段が設けられ、
前記吸引流路において、薬液容器からろ過手段までの流路は、前記注射針の外周面及び前記注射流路とは独立して形成され、
前記吸引流路の入口と前記注射流路の出口が同軸上に位置し、前記吸引流路の出口と前記注射流路の入口を共有しないことを特徴とするフィルタ注射器。
【請求項３】
前記吸引流路と前記注射流路は、３方向コネクターを共有することを特徴とする請求項１に記載のフィルタ注射器。
【請求項４】
前記吸引流路の出口と前記注射流路の入口は、互いに異なる方向を向くように固定されまたは角度調整が可能であることを特徴とする請求項２に記載のフィルタ注射器。
【請求項５】
前記注射針の針とハブを互いに固定させる接着材料は、注射針を取り囲んで気密を維持する開閉手段内に収容され、薬液から隔離されることを特徴とする請求項１または２に記載のフィルタ注射器。
【請求項６】
前記注射針のハブには、内壁面及び外壁面と底面を有する環状空間が形成され、前記底面には、前記シリンダに連通する通孔が形成され、
円筒部と羽根部を有する弾性材質の一方向弁手段が前記内壁面に設けられ、前記羽根部の端部は、前記外壁面に弾性的に接触し、
前記一方向弁手段と前記通孔との間の環状空間内にろ過手段が設けられ、
先端を有する中空体からなり、前記ハブの外周面に気密を維持して結合し、前記注射針の針を取り囲む開閉手段が内部に設けられたキャップがさらに構成されることを特徴とする請求項１に記載のフィルタ注射器。
【請求項７】
前記一方向弁手段には、前記キャップの内周面に対応する突部が形成され、前記羽根部の変形を図ることを特徴とする請求項６に記載のフィルタ注射器。
【請求項８】
前記キャップの内周面には、前記一方向弁手段に対応する突起が形成され、前記羽根部の変形を図ることを特徴とする請求項６に記載のフィルタ注射器。
【発明の詳細な説明】
【技術分野】
【０００１】
本発明は、フィルタ注射器に関し、特に、アンプルのガラス片等の異物をろ過させるろ過手段が設けられた注射器の構造を改良して、注射針や注射流路が異物により汚染されることを防ぐとともに、特に、薬液をさらに小さな力でスムーズに吸引可能にするための装置であって、薬液内に異物が残存する恐れのあるろ過手段以前の吸引流路から、注射針または注射流路を隔離させるとともに、薬液の吸引時、大きな力を要求する原因となるろ過手段及び一方向弁手段が外部に設けられ、既存よりも小さな力で薬液を吸引可能であるので、ユーザの使い勝手及び注射器の商品性を極大化させることができる装置に関する。
【背景技術】
【０００２】
一般に、注射器は、動植物の体内に薬液を注射する器具であり、鋭い先端で皮膚を刺し、任意の組職内に薬液を注射するようになっている。
【０００３】
図１は、一般の注射器を示す分解斜視図であり、このような注射器は、図１に示すように、注射針１０が結合され、注射液が収容されるシリンダ２０と、前記シリンダ２０内において前進及び後退可能に設けられるプランジャ３０と、で構成される。
【０００４】
このタイプの注射器は、プランジャ３０の後退により、シリンダ２０内に負圧が発生しながら注射液が充填され、前進により、正圧となり、シリンダ２０内の薬液が注射針１０から排出されながら患者の体内に注射液の注射が行われるものである。
【０００５】
しかしながら、このタイプの注射器の使用時は、注射液そのものに混入されていた異物や、または注射液が貯蔵されたアンプルを折って開封する過程で、注射液内に飛散され混入されたガラス片のような異物が、注射液と一緒に患者の体内に注射される恐れがあった。
【０００６】
このような問題点を解決するために、注射液に含まれた異物をろ過するためのフィルタを備えたフィルタ注射器が開発されている。
【０００７】
先ず、特許文献１に開示されているように、異物のろ過のためのフィルタが注射針またはシリンダ内に設けられた従来のフィルタ注射器は、シリンダの内部に吸引される注射液に対して異物をろ過する機能を行うことになる。
【０００８】
しかしながら、注射液の吸引時は、アンプルの内部に入った注射針の外表面に異物が付着したり、あるいは注射針の内部に残存した注射液は、異物がろ過されていない状態であるので、異物が注射液と一緒に患者の体内に注射されることを根本的に防止することはできなかった。
【０００９】
これに対して、特許文献２には、異物のろ過のためのフィルタが、注射針を覆うキャップの内部に設けられた例が開示されている。
【００１０】
図２は、従来のフィルタキャップ注射器を示す分解斜視図であり、図３は、従来のフィルタキャップ注射器を示す要部断面図であって、特許文献２に開示された従来のフィルタキャップ注射器が、図２及び図３に示されている。
【００１１】
従来のフィルタキャップ注射器は、図３に示すように、キャップ４０の内部にフィルタ４１が設けられており、注射液の吸引時、異物がフィルタ４１でろ過され、注射時には、フィルタ４１を有するキャップ４０を注射針１０から分離させるので、異物が注射される恐れがなかった。
【００１２】
しかしながら、このような従来のフィルタキャップ注射器は、注射液がキャップ４０に設けられたフィルタ４１を通過した後、微細な注射針１０からのみシリンダ２０の内部に吸引されるので、注射液を吸引するのに比較的大きな力が要求され、使用が極めて不便であるという従来技術の問題点があった。
【先行技術文献】
【特許文献】
【００１３】
【特許文献１】韓国公開特許第２０１２−８７５８７号公報
【特許文献２】米国登録特許第４１８００７１号公報
【発明の概要】
【発明が解決しようとする課題】
【００１４】
本発明は、前記問題点に鑑みなされたものであり、その目的は、薬液内に異物が残存する恐れのあるろ過手段以前の吸引流路から、注射針または注射流路を隔離させるとともに、薬液の吸引時、大きな力を要求する原因となるろ過手段及び一方向弁手段が外部に設けられ、既存よりも小さな力で薬液を吸引可能であるので、ユーザの使い勝手及び注射器の商品性を極大化させることができるフィルタ注射器を提供することにある。
【課題を解決するための手段】
【００１５】
前記目的を達成するために、本発明は、注射針、シリンダ、及びプランジャを備える周知の注射器において、薬液容器からシリンダに至る吸引流路と、シリンダから注射針に至る注射流路とが形成され、前記吸引流路には、ろ過手段と一方向弁手段が設けられ、前記注射流路には、着脱式の開閉手段が設けられ、前記吸引流路において、薬液容器からろ過手段までの流路は、前記注射針の外周面及び前記注射流路とは独立して形成され、前記吸引流路の入口と前記注射流路の出口が同軸上に位置し、前記吸引流路の出口と前記注射流路の入口を共有することにより達成される。
【００１８】
また、本発明は、注射針、シリンダ、及びプランジャを備える周知の注射器において、薬液容器からシリンダに至る吸引流路と、シリンダから注射針に至る注射流路とが形成され、前記吸引流路には、ろ過手段と一方向弁手段が設けられ、前記注射流路には、着脱式の開閉手段が設けられ、前記吸引流路において、薬液容器からろ過手段までの流路は、前記注射針の外周面及び前記注射流路とは独立して形成され、前記吸引流路の入口と前記注射流路の出口が同軸上に位置し、前記吸引流路の出口と前記注射流路の入口を共有しないことにより達成される。
【００２０】
ここで、前記吸引流路と前記注射流路は、３方向コネクターを共有してもよい。
【００２１】
また、前記吸引流路の出口と前記注射流路の入口は、互いに異なる方向を向くように固定されまたは角度調整が可能であることが好ましい。
【００２２】
それだけでなく、前記注射針の針とハブを互いに固定させる接着材料は、注射針を取り囲んで気密を維持する開閉手段内に収容され、薬液から隔離されることが好ましい。
【００２３】
特に、針及びハブからなる注射針と、前記注射針が結合するシリンダとを備える注射器において、前記ハブには、内壁面及び外壁面と底面を有する環状空間が形成され、前記底面には、前記シリンダに連通する通孔が形成され、円筒部と羽根部を有する弾性材質の一方向弁手段が前記内壁面に設けられ、前記羽根部の端部は、前記外壁面に弾性的に接触し、前記一方向弁手段と前記通孔との間の環状空間内にろ過手段が設けられ、先端を有する中空体からなり、前記ハブの外周面に気密を維持して結合し、前記針を取り囲む開閉手段が内部に設けられたキャップがさらに構成されることが好ましい。
【００２４】
このとき、前記一方向弁手段には、前記キャップの内周面に対応する突部が形成され、前記羽根部の変形を図ることが好ましい。
【００２５】
これに対して、前記キャップの内周面には、前記一方向弁手段に対応する突起が形成され、前記羽根部の変形を図ることもできる。
【発明の効果】
【００２６】
本発明によれば、薬液内に異物が残存する恐れのあるろ過手段以前の吸引流路から、注射針または注射流路を隔離させるとともに、薬液の吸引時、大きな力を要求する原因となるろ過手段及び一方向弁手段が外部に設けられ、既存よりも小さな力で薬液を吸引可能であるので、ユーザの使い勝手及び注射器の商品性を極大化させることができる。
【図面の簡単な説明】
【００２７】
【図１】一般の注射器を示す分解斜視図である。
【図２】従来のフィルタキャップ注射器を示す分解斜視図である。
【図３】従来のフィルタキャップ注射器を示す要部断面図である。
【図４】本発明に係るフィルタ注射器の実施例１における一方向弁手段の開放状態を示す断面図である。
【図５】本発明に係るフィルタ注射器の実施例１における一方向弁手段の閉鎖状態を示す断面図である。
【図６】本発明に係るフィルタ注射器の実施例１における開閉手段を例示す斜視図である。
【図７】本発明に係るフィルタ注射器の実施例１における他の例の一方向弁手段の開放状態を示す断面図である。
【図８】本発明に係るフィルタ注射器の実施例１における他の例の一方向弁手段の閉鎖状態を示す断面図である。
【図９】本発明に係るフィルタ注射器の実施例１における他の例の一方向弁手段を示す要部分解斜視図である。
【図１０】本発明に係るフィルタ注射器の実施例１におけるまた他の例の一方向弁手段の開放状態を示す断面図である。
【図１１】本発明に係るフィルタ注射器の実施例１におけるまた他の例の一方向弁手段の閉鎖状態を示す断面図である。
【図１２】本発明に係るフィルタ注射器の実施例１における一方向弁手段が外部に設けられた状態を示す断面図である。
【図１３】本発明に係るフィルタ注射器の実施例１におけるろ過手段及び一方向弁手段が外部に設けられた状態を示す断面図である。
【図１４】本発明に係るフィルタ注射器の実施例１における一方向弁手段が外部に設けられ、コネクターが適用された状態を示す断面図である。
【図１５】本発明に係るフィルタ注射器の実施例２における一方向弁手段が外部に設けられた状態を示す断面図である。
【図１６】本発明に係るフィルタ注射器の実施例２における一方向弁手段が外部に設けられ、コネクターが適用された状態を示す断面図である。
【図１７】本発明に係るフィルタ注射器の実施例３における一方向弁手段が外部に設けられた状態を示す断面図である。
【図１８】本発明に係るフィルタ注射器の実施例３におけるろ過手段及び一方向弁手段が外部に設けられた状態を示す断面図である。
【図１９】本発明に係るフィルタ注射器の実施例４におけるろ過手段及び一方向弁手段が内部に設けられた状態を示す断面図である。
【図２０】本発明に係るフィルタ注射器の実施例１におけるまた他の例の一方向弁手段を示す図である。
【図２１】本発明に係るフィルタ注射器の実施例１のまた他の例を示す断面図である。
【図２２】本発明に係るフィルタ注射器の実施例１のまた他の例における、薬液の吸引時を示す断面図である。
【図２３】本発明に係るフィルタ注射器の実施例１のまた他の例における、薬液の注射時を示す断面図である。
【図２４】本発明に係るフィルタ注射器の実施例１のまた他の例における、他の例の一方向弁手段を示す断面図である。
【図２５】本発明に係るフィルタ注射器の実施例１のまた他の例における、他の例のキャップを示す断面図である。
【発明を実施するための形態】
【００２８】
図４乃至図１４は、本発明に係るフィルタ注射器の実施例１を示す図であって、図４乃至図１１は、ろ過手段及び一方向弁手段が内装された形態を示し、図１２乃至図１４は、ろ過手段または一方向弁手段のいずれか一つが外装された形態を示す図であり、図４は、本発明に係るフィルタ注射器の実施例１における一方向弁手段の開放状態を示す断面図であり、図５は、本発明に係るフィルタ注射器の実施例１における一方向弁手段の閉鎖状態を示す断面図であり、図６は、本発明に係るフィルタ注射器の実施例１における開閉手段を例示す斜視図である。
【００２９】
また、図７は、本発明に係るフィルタ注射器の実施例１における他の例の一方向弁手段の開放状態を示す断面図であり、図８は、本発明に係るフィルタ注射器の実施例１における他の例の一方向弁手段の閉鎖状態を示す断面図であり、図９は、本発明に係るフィルタ注射器の実施例１における他の例の一方向弁手段を示す要部分解斜視図である。
【００３０】
また、図１０は、本発明に係るフィルタ注射器の実施例１におけるまた他の例の一方向弁手段の開放状態を示す断面図であり、図１１は、本発明に係るフィルタ注射器の実施例１におけるまた他の例の一方向弁手段の閉鎖状態を示す断面図である。
【００３１】
次に、図１２は、本発明に係るフィルタ注射器の実施例１における一方向弁手段が外部に設けられた状態を示す断面図であり、図１３は、本発明に係るフィルタ注射器の実施例１におけるろ過手段及び一方向弁手段が外部に設けられた状態を示す断面図であり、図１４は、本発明に係るフィルタ注射器の実施例１における一方向弁手段が外部に設けられ、コネクターが適用された状態を示す断面図である。
【００３２】
また、図１５は、本発明に係るフィルタ注射器の実施例２における一方向弁手段が外部に設けられた状態を示す断面図であり、図１６は、本発明に係るフィルタ注射器の実施例２における一方向弁手段が外部に設けられ、コネクターが適用された状態を示す断面図である。
【００３３】
また、図１７は、本発明に係るフィルタ注射器の実施例３における一方向弁手段が外部に設けられた状態を示す断面図であり、図１８は、本発明に係るフィルタ注射器の実施例３におけるろ過手段及び一方向弁手段が外部に設けられた状態を示す断面図である。
【００３４】
図１９は、本発明に係るフィルタ注射器の実施例４におけるろ過手段及び一方向弁手段が内部に設けられた状態を示す断面図であり、図２０は、本発明に係るフィルタ注射器の実施例１におけるまた他の例の一方向弁手段を示す図であって、（ａ）は、正面図であり、（ｂ）は、正断面図である。
【００３５】
また、図２１は、本発明に係るフィルタ注射器の実施例１のまた他の例を示す断面図であり、図２２は、本発明に係るフィルタ注射器の実施例１のまた他の例における、薬液の吸引時を示す断面図であり、図２３は、本発明に係るフィルタ注射器の実施例１のまた他の例における、薬液の注射時を示す断面図である。
【００３６】
最後に、図２４は、本発明に係るフィルタ注射器の実施例１のまた他の例における、他の例の一方向弁手段を示す断面図であり、図２５は、本発明に係るフィルタ注射器の実施例１のまた他の例における、他の例のキャップを示す断面図である。
【００３７】
本発明に係るフィルタ注射器は、図４乃至図２０に示すように、周知の注射器の内外部に薬液を吸引するための吸引流路と、薬液を注射するための注射流路とが形成されるが、薬液容器からろ過手段２００までの流路が、注射流路及び注射針１０の外周面とは独立して形成されることにより、基本的に異物が含まれた薬液が注射されることなく、既存よりも小さな力で容易に薬液を吸引することができることを、その技術上の基本特徴とする。
【００３８】
以下、添付図面を参照して、本発明の実施例について説明する。
【００３９】
本発明のフィルタ注射器は、注射針１０、シリンダ２０、及びプランジャを備える周知の注射器において、薬液容器からシリンダ２０に至る吸引流路と、シリンダ２０から注射針１０に至る注射流路とが形成されるが、前記吸引流路には、ろ過手段２００及び一方向弁手段３００が設けられ、前記注射流路には、着脱式の開閉手段４００が設けられ、前記吸引流路において、薬液容器からろ過手段２００までの流路は、前記注射針１０の外周面及び前記注射流路とは独立して形成されることが好ましい。
【００４０】
このように、吸引流路において、薬液容器からろ過手段２００までの流路は、例えば、ガラス製アンプルのような薬液容器の開封時、ガラス片等の異物が含まれた薬液が残存する可能性がある区間であり、このように異物が残存可能な区間を注射流路はもとより、注射針の外周面とも独立して形成することにより、ガラス片のような異物が体内に注射されることを根本的に予防することができることになる。
【００４１】
すなわち、本発明においては、吸引流路の入口と注射流路の出口を独立して形成することにより、薬液の吸引時は、吸引流路の一方向弁手段３００が開放され、ろ過手段２００において異物がろ過された薬液が、注射器のシリンダ２０の内部に吸引され、その間、開閉手段４００が注射流路を閉鎖する。
【００４２】
これに対して、薬液の注射時は、一方向弁手段３００により、吸引流路が閉鎖されるのに対して、開閉手段４００の除去により注射流路が開放される。
【００４３】
このとき、前記一方向弁手段３００は、実施形態によって、圧力の作用方向により自然に開閉が調節されてもよく、ユーザの回転操作により開閉が調節されてもよく、単にキャップ１００が分離されたか否かにより開閉が調節されてもよい。
【００４４】
上述のような本発明に係るフィルタ注射器を具現するのには、吸引流路の入口と注射流路の出口が同軸上に位置するか否かと、注射器のシリンダ２０上において吸引流路の出口と注射流路の入口を共有するか否かとの組合せにより、下記の４つの例が挙げられ、以下、これらを実施例１乃至実施例４に分けて説明する。
【００４５】
実施例１：吸引流路の入口と注射流路の出口が同軸上に位置し、吸引流路の出口と注射流路の入口を共有する例
実施例２：吸引流路の入口と注射流路の出口が同軸上に位置せず、吸引流路の出口と注射流路の入口を共有する例
実施例３：吸引流路の入口と注射流路の出口が同軸上に位置し、吸引流路の出口と注射流路の入口を共有しない例
実施例４：吸引流路の入口と注射流路の出口が同軸上に位置せず、吸引流路の出口と注射流路の入口を共有しない例
【実施例１】
【００４６】
実施例１は、吸引流路の入口と注射流路の出口が同軸上に位置し、吸引流路の出口と注射流路の入口を共有する例である。
【００４７】
本発明に係るフィルタ注射器の実施例１では、ろ過手段２００及び一方向弁手段３００の両方を内装している例と、ろ過手段２００及び一方向弁手段３００のいずれか一つ以上を外装している例とに分けられる。
【００４８】
先ず、図４乃至図１１に、本発明に係るフィルタ注射器の実施例１において、ろ過手段２００及び一方向弁手段３００の両方を内装している例が示されている。
【００４９】
特に、図４及び図５には、薬液に加わる圧力の作用方向により自然に開閉される一方向弁手段３００が適用されたものであって、吸引流路は、キャップ１００の吸引針１１０→ろ過手段２００→キャップ１００のキャップハブ１２０→一方向弁手段３００→注射針１０のハブ１２→シリンダ２０からなる。
【００５０】
このとき、キャップ１００は、薬液溶液から薬液を吸引するためのものであって、吸引針１１０及びキャップハブ１２０で構成され、前記吸引針１１０の先端は、バイアル等を突き通すように傾斜して形成され、金属材または合成樹脂材からなり、高い剛性を有する。
【００５１】
また、キャップハブ１２０は、このような吸引針１１０を支持するように一体で結合されたものであって、その内部にろ過手段２００が内装されてもよく、キャップハブ１２０の内周面は、注射針１０の針１１を支持するハブ１２の外周面と結合して気密を維持する。
【００５２】
ここで、前記注射針１０の針１１とハブ１２は、エポキシのような接着材料１３で互いに固定されており、このとき、前記ハブ１２が注射器のシリンダ２０に気密を維持して組み立てられる。
【００５３】
このとき、別途の弾性材質のシーリングのような気密手段６００を、キャップハブ１２０の内周面とハブ１２の外周面との間にさらに設置し、その間への薬液の漏れを予防することができ、前記ろ過手段２００は、微細なガラス片等の異物をろ過することができる周知の構成である。
【００５４】
これとともに、前記注射針１０のハブ１２には、薬液に加わる圧力の作用方向により自然に開閉される一方向弁手段３００が内装されている。
【００５５】
このような一方向弁手段３００は、例えば、シリコンのように柔らかな材質の円形弾性板３１０と係止突部３１１で構成される。
【００５６】
前記弾性板３１０は、前記ハブ１２の内径に対応する直径で形成され、その中心が前記ハブ１２に組立て固定され、前記弾性板３１０の外周端の上側には、前記弾性板３１０が上方へ変形することを制限するための係止突部３１１が形成されている。
【００５７】
その結果、薬液の吸引時、前記弾性板３１０の外周端が、図４に示すように、図面上において下方へ変形しながら一方向弁手段３００が開放されることにより、薬液が注射器のシリンダ２０の内部に充填される。
【００５８】
また、注射流路は、図５に示すように、シリンダ２０→注射針１０のハブ１２→注射針１０の針１１からなる。
【００５９】
このときは、前記一方向弁手段３００において、弾性板３１０の外周端が、図５に示すように、係止突部３１１に係止されて上方への変形が制限されるので、前記一方向弁手段３００が閉鎖されることにより、吸引流路への薬液の漏れを防ぐことになる。
【００６０】
これとともに、前記注射針１０の針１１は、薬液の吸引時、開閉手段４００により閉鎖されていたが、薬液の注射時は、前記開閉手段４００を分離させて針１１を開放させるようになる。
【００６１】
特に、本発明において、前記開閉手段４００が、図６に示すように、気密空間４１０及びフランジ４２０を有してもよい。
【００６２】
すなわち、前記開閉手段４００は、薬液の吸引時、注射針１０の針１１を閉鎖させ、薬液の注射時、注射針１０の針１１を開放させる機能をするものであって、本発明では、前記開閉手段４００が前記注射針１０のハブ１２に結合可能であることが好ましい。
【００６３】
このため、前記開閉手段４００の下部には、気密空間４１０が形成され、この気密空間４１０が前記注射針１０のハブ１２を取り囲んで結合することになる。
【００６４】
特に、本発明では、前記注射針１０の針１１とハブ１２を互いに固定させる接着材料１３は、注射針１０を取り囲んで気密を維持する開閉手段４００の気密空間４１０内に収容され、薬液から隔離されることが好ましい。
【００６５】
これにより、接着材料１３が薬液と接触して、接着材料１３の接着力を低下させ、または接着材料１３により薬液の成分が変質することが防がれる。
【００６６】
これとともに、前記開閉手段４００に設けられるフランジ４２０は、必要に応じて、前記開閉手段４００をキャップハブ１２０の内周面に固定させるだけでなく、上述したろ過手段２００をキャップハブ１２０内に内装するのに用いられてもよい。
【００６７】
図５には、前記開閉手段４００のフランジ４２０にろ過手段２００が設けられ、このような開閉手段４００がキャップ１００の内部に固設され、前記キャップ１００の分離により、開閉手段４００を一緒に分離させることにより、注射針１０を開放させる例が示されている。
【００６８】
これにより、薬液の吸引時、薬液は、キャップ１００からろ過手段２００及び一方向弁手段３００を経てシリンダに吸引され、薬液の注射時、薬液は、シリンダ２０から注射針１０を通じて注射される。
【００６９】
その結果、ろ過手段２００以前の吸引流路は、注射流路はもとより、注射針１０の外周面とも完全に分離されるので、注射流路や注射針１０の周囲にガラス片等の異物が残存したまま注射されることが根本的に防がれる。
【００７０】
次に、図７乃至図９を参照して、本発明に係るフィルタ注射器の実施例１において、一方向弁手段３００がユーザの回転操作により開閉調節される例について説明する。
【００７１】
このときも、吸引流路は、キャップ１００の吸引針１１０→ろ過手段２００→キャップ１００のキャップハブ１２０→一方向弁手段３００→注射針１０のハブ１２→シリンダ２０からなる。
【００７２】
このとき、ろ過手段２００が、例示のように、キャップ１００の吸引針１１０内に設けられているが、この場合、ろ過手段２００のサイズが制限され、薬液を吸引するのに大きな力を必要とするため、上述したように、開閉手段４００のフランジ４２０にろ過手段２００を設けることがさらに好ましい。
【００７３】
また、上述した圧力の作用方向により自然に開閉する一方向弁手段３００が適用された実施例と重複する構成については、その説明を省略し、一方向弁手段３００の異なる作用についてのみ説明する。
【００７４】
このとき、注射針１０のハブ１２は、図９に示すように、上下に二分形成され、針１１の下部には、ハブ１２の一部として、円板状の回転板３２０が一体で形成されている。
【００７５】
このような回転板３２０は、薬液が通過可能な多数の通孔３２１が、所定の半径上において、放射状で等間隔を置いて形成されており、図９には、４つの通孔３２１が９０°の位相角差を置いて形成された例が示され、前記針１１の中心を基準として回転可能である。
【００７６】
ここで、前記通孔３２１のサイズを大きく設計すれば、薬液の吸引がさらに円滑になるが、それほど開閉調節のための回転角度が大きくなり、通孔３２１のサイズを小さく設計すれば、通孔３２１の個数が多くなり、開閉調節のための回転角度は小さくなる。
【００７７】
このような回転板３２０の回転をユーザが調節できるように、前記回転板３２０の上側面には、回転突起３２２が半径方向に延長されており、このような回転突起３２２は、キャップ１００のキャップハブ１２０の内周面に長手方向に形成されたガイド溝１２１内に組み立てられる。
【００７８】
その結果、前記キャップ１００のキャップハブ１２０を外部から回すと、これに連動して、その内部において前記回転板３２０も一緒に回転することになる。
【００７９】
このとき、前記回転板３２０は、その間に気密材質の固定円板３３０を介して、ハブ１２の二分された下部に安着するように組み立てられ、前記固定円板３３０及びハブ１２の二分された下部にも、上述した回転板３２０の通孔３２１に対応して通孔３３１、３４０が形成されている。
【００８０】
これにより、前記回転板３２０の回転により、回転板３２０に形成された通孔３２１が、固定円板３３０及びハブ１２の二分された下部に形成された通孔３３１、３４０と一直線上に整列されると、図７に示すように、一方向弁手段３００が開放され、そうでないときは、図８に示すように、一方向弁手段３００が閉鎖される。
【００８１】
ここで、前記回転板３２０の回転により、前記固定円板３３０が一緒に回転することを防ぐために、固定円板３３０の周縁に回転防止凹溝３３２が形成され、これに対応して、ハブ１２の二分された下部に回転防止突起３４１が形成されることがよい。
【００８２】
また、前記回転板３２０が、固定円板３３０を挟んでハブ１２の二分された下部に組み立てられた状態で回転できるように、前記ハブ１２には、環状断面を有する固定段３４２が形成される。
【００８３】
その結果、図７及び図８に示すように、固定段３４２の内側では、固定円板３３０及び回転板３２０が積層されて組み立てられた状態を維持することになる。
【００８４】
これとともに、前記回転板３２０の通孔３２１と、固定円板３３０及びハブ１２の通孔３３１、３４０が、一直線上に整列されたか否かをユーザが確認可能に、図９に示すように、前記回転板３２０の周縁に半球状断面を有する突起３２３を上方向に突設し、これに対応して、前記ハブ１２の固定段３４２の内側の底面に凹溝（図示せず）を形成してもよい。
【００８５】
これにより、前記回転板３２０の通孔３２１と、固定円板３３０及びハブ１２の通孔３３１、３４０が、一直線上に整列される場合、突起３２３が凹溝内に弾性的に挿入されながら発生するクリック感を用いて、ユーザが、通孔が整列されか否かを確認することができる。
【００８６】
これと同様に、深さが異なる２種類の凹溝を交互に配置すると、例えば、さらに大きなクリック感が感じられると、通孔が整列され、一方向弁手段３００が開放された状態であり、さらに小さなクリック感が感じられると、通孔が整列されておらず、一方向弁手段３００が閉鎖された状態に区分することができる。
【００８７】
その結果、ユーザは、キャップ１００のキャップハブ１２０を外部から回転させる操作により、一方向弁手段３００の開閉を断続することができ、薬液を吸引してから直ちに体内に注射しない場合、例えば、生理食塩水を吸引してから粉末薬剤が入った薬液容器に生理食塩水を注射して粉末薬剤を溶解させ、再び吸引しなければならない場合は、回転により開閉が断続される上述の一方向弁手段３００によって、吸引及び注射がさらに小さな力で円滑に行われるという利点を有する。
【００８８】
以降、体内に注射しようとするときは、開放された状態の一方向弁手段３００を回して開閉させると、注射流路は、図８に示すように、シリンダ２０→注射針１０のハブ１２→注射針１０の針１１からなる。
【００８９】
このときも、図示してはいないが、開閉手段４００がキャップ１００の内部に固設され、前記キャップ１００の分離により開閉手段４００を一緒に分離させることにより、注射針１０を開放させることになる。
【００９０】
これにより、薬液の吸引時、薬液は、キャップ１００からろ過手段２００及び一方向弁手段３００を経てシリンダに吸引され、薬液の注射時、薬液はシリンダ２０から注射針１０を通じて注射される。
【００９１】
その結果、必要に応じて、迅速に薬液を吸引してから迅速に排出させることができる。
【００９２】
次は、図１０及び図１１を参照して、本発明に係るフィルタ注射器の実施例１において、一方向弁手段３００が、単にキャップ１００の開閉が調節される例について説明する。
【００９３】
このときも、吸引流路は、キャップ１００の吸引針１１０→ろ過手段２００→キャップ１００のキャップハブ１２０→一方向弁手段３００→注射針１０のハブ１２→シリンダ２０からなる。
【００９４】
このとき、注射針１０のハブ１２には、図１０及び図１１に示すように、内周面から外周面に至る流通孔３５１が形成され、ハブ１２の外周面には、前記流通孔３５１の周辺を一周して溝部３５２が形成される。
【００９５】
前記流通孔３５１の直径及び個数は、薬液が円滑に流通するとともに、気密が行われるように適宜変形されてもよく、前記溝部３５２は、互いに深さの異なる二段からなり、この溝部３５２内に略円形断面を有するゴム等の弾性材質の弾性バンド３５０が位置する。
【００９６】
このような弾性バンド３５０は、前記溝部３５２内に弾性的に配置され、キャップ１００のキャップハブ１２０との接触の有無により、その位置が移動することになる。
【００９７】
このため、前記キャップハブ１２０の内周面には、前記弾性バンド３５０との接触のための係止段１２２が形成されている。
【００９８】
これにより、前記キャップ１００が注射針１０に組み立てられた状態では、図１０に示すように、係止段１２２に弾性バンド３５０が接触しながら、前記弾性バンド３５０が移動することにより、流通孔３５１が開放される。
【００９９】
これに対して、前記キャップ１００が注射針１０から分離された状態では、図１１に示すように、弾性バンド３５０が最小の直径に収縮しながら元の位置に戻り、流通孔３５１を閉鎖させる。
【０１００】
その結果、ユーザは、キャップ１００が組み立てられているか否かにより、一方向弁手段３００の開閉を断続することができ、上述のように、食塩水を吸引してから粉末薬剤が入った薬液容器に生理食塩水を注射して粉末薬剤を溶解させ、再び吸引しなければならない場合、上述した一方向弁手段３００によって、吸引及び注射がさらに小さな力で円滑に行われるという利点を有する。
【０１０１】
以降、体内に注射しようとするときは、単にキャップ１００を分離させるだけで、注射流路は、図１１に示すように、シリンダ２０→注射針１０のハブ１２→注射針１０の針１１からなる。
【０１０２】
このときも、開閉手段４００がキャップ１００の内部に固設され、前記キャップ１００の分離により開閉手段４００が一緒に分離され、注射針１０を開放させる。
【０１０３】
これにより、薬液の吸引時、薬液は、キャップ１００からろ過手段２００及び一方向弁手段３００を経てシリンダに吸引され、薬液の注射時、薬液はシリンダ２０から注射針１０を通じて注射される。
【０１０４】
その結果、必要に応じて、迅速に薬液を吸引してから迅速に排出させることができる。
【０１０５】
図２０には、２つの一方向弁手段３００が二重で形成された例が示されており、この場合、上述した注射針１０のハブ１２に、変形された流通孔３５１及び溝部３５２が形成された第一の一方向弁手段３００が構成され、キャップ１００が結合されたか否かにより、一方向弁手段３００の開閉が調節され、ハブ１２の内部には、変形された形状の弾性板３１０からなる第二の一方向弁手段３００が構成されていてもよい。
【０１０６】
このような第二の一方向弁手段３００の場合、弾性板３１０は、別途の係止突部３１１を必要とせず、薬液に作用する圧力の方向により、ハブ１２の内壁と直接接触して開閉が行われる。
【０１０７】
このように、２つ以上の一方向弁手段３００を重複して含んで構成してもよい。
【０１０８】
次に、図１２乃至図１４に、本発明のフィルタ注射器の実施例１において、ろ過手段２００または一方向弁手段３００のいずれか一つ以上を外装している例が示されている。
【０１０９】
これまでは、ろ過手段２００及び一方向弁手段３００が、キャップ１００や注射針１０の内部に設けられている例について説明したが、薬液の吸引の際に必要な力は、殆ど薬液がろ過手段２００及び一方向弁手段３００を通過するときに作用するものである。
【０１１０】
すなわち、薬液の吸引をさらに小さな力で行うために、ろ過手段２００及び一方向弁手段３００のサイズを大きく設計しなければならなかったが、従来では、このようなろ過手段２００及び一方向弁手段３００の両方が内装されており、そのサイズの拡張には制限があった。
【０１１１】
したがって、本発明では、図１２乃至図１４に示すように、キャップ１００のキャップハブ１２０から注射器のシリンダ２０に至る外部の吸引流路をさらに設けてもよい。
【０１１２】
これにより、ろ過手段２００及び一方向弁手段３００のサイズに制限されなくなる。
【０１１３】
図１２には、ろ過手段２００がハブ１２に内装されているのに対して、一方向弁手段３００が別途に外装されている例が示されている。
【０１１４】
このとき、前記一方向弁手段３００は、上述した例とは異なり、サイズに制限されず、ボールを内装した逆止め弁（チェック弁）等、様々な変更が可能である。
【０１１５】
この場合、前記キャップ１００と前記シリンダ２０との間には、流路を形成するための別途の構成が加えられてもよい。
【０１１６】
例えば、分岐管をキャップハブ１２０やシリンダ２０に一体で形成した後、柔らかな素材の管で相互連結してもよく、所定の傾斜角を維持するように構成してもよく、相互選択的に連結または分離することができる周知の構成が可能である。
【０１１７】
但し、互いの連結を分離する構造では、一方向弁手段３００がシリンダ２０側に連結された状態を維持しなければ、薬液が漏れてしまう恐れがある。
【０１１８】
また、図１２には、一方向弁手段３００だけが外装されたものを示しているが、図１３に示すように、ろ過手段２００と一方向弁手段３００の両方をさらに外装してもよい。
【０１１９】
また、図１４には、別途のコネクター５００を用いて一方向弁手段３００を外装した例が示されている。
【０１２０】
このとき、このようなコネクター５００をキャップハブ１２０やシリンダ２０に一体で形成してもよく、ろ過手段２００や一方向弁手段３００を、このようなコネクター５００内に内装してもよく、その変更適用に制限がない。
【実施例２】
【０１２１】
実施例２は、吸引流路の入口と注射流路の出口が同軸上に位置せず、吸引流路の出口と注射流路の入口を共有する例である。
【０１２２】
次に、本発明の実施例２は、上述したように、吸引流路の出口と注射流路の入口を共有するのに対して、吸引流路の入口と注射流路の出口が同軸上に位置しない場合である。
【０１２３】
このため、キャップ１００と注射針１０は、それぞれ独立して位置し、開閉手段４００は、キャップ１００から分離されて注射針１０を閉鎖させるように設けられる。
【０１２４】
この場合、図１５に示すように、キャップ１００の内部にろ過手段２００が設けられ、吸引流路上に一方向弁手段３００が設けられてもよく、図示してはいないが、ろ過手段２００がキャップ１００から分離され、吸引流路上にろ過手段２００及び一方向弁手段３００の両方が設けられてもよい。
【０１２５】
このとき、前記キャップ１００から前記シリンダ２０に至る吸引流路を柔らかく構成してもよいが、前記シリンダ２０から注射針１０とは異なる所定の傾斜角を維持するように構成してもよい。
【０１２６】
これにより、シリンダ２０から互いに異なる角度で分岐された胴体に、一方には吸引流路が形成され、他方には注射流路が形成されてもよい。
【０１２７】
このような構成によると、注射流路が開閉手段４００により閉鎖された状態で、キャップ１００から薬液を吸引することにより、吸引される薬液は、ろ過手段２００及び一方向弁手段３００を経てシリンダ２０に充填され、注射される薬液は、開閉手段４００が除去された注射針１０から送り出される。
【０１２８】
図１６には、別途のコネクター５００を加えたものが示されており、直角で分岐されたコネクター５００を例示しているが、それ以外の角度をなして構成してもよく、またはその角度を調節可能に構成することも好ましい。
【実施例３】
【０１２９】
実施例３は、吸引流路の入口と注射流路の出口が同軸上に位置し、吸引流路の出口と注射流路の入口を共有しない例である。
【０１３０】
図１７及び図１８には、吸引流路の入口と注射流路の出口が、上述したように同軸上に位置するのに対して、吸引流路の出口と注射流路の入口は互いに共有しない場合である。
【０１３１】
図１７は、一方向弁手段３００だけが外装された場合であり、図１８は、ろ過手段２００と一緒に一方向弁手段３００の両方が外装された場合である。
【０１３２】
このときも、分岐管をキャップハブ１２０やシリンダ２０に一体で形成した後、柔らかな素材の管で相互連結してもよく、所定の傾斜角を維持するように構成してもよく、相互選択的に連結または分離することができる周知の構成が可能である。
【０１３３】
但し、互いの連結を分離する構造では、一方向弁手段３００がシリンダ２０側に連結された状態を維持しなければ、薬液が漏れてしまう恐れがある。
【実施例４】
【０１３４】
実施例４は、吸引流路の入口と注射流路の出口が同軸上に位置せず、吸引流路の出口と注射流路の入口を共有しない例である。
【０１３５】
最後に、実施例４は、図１９に示すように、吸引流路の入口と注射流路の出口が同軸上に位置せず、吸引流路の出口と注射流路の入口も共有しない場合である。
【０１３６】
図１９には、キャップ１００の内部にろ過手段２００及び一方向弁手段３００が内装された例が示されているが、一方向弁手段３００や、またはろ過手段２００と一方向弁手段３００の両方が、キャップ１００からシリンダ２０に至る流路中に形成されてもよく、シリンダ２０内に設けられてもよい。
【０１３７】
その結果、キャップ１００に吸引された薬液は、ろ過手段２００を経ながら異物が除去された後、一方向弁手段３００を経てシリンダ２０に吸引され、シリンダ２０の薬液は、開閉手段４００を除去することにより、注射針１０から体内に注射されることになる。
【０１３８】
本発明による実施例１の他の例として、注射針１０の一部をなすハブ１２には、図２１に示すように、内壁面１２ａ及び外壁面１２ｂと底面１２ｃを有する環状空間１２ｄが形成されている。
【０１３９】
このような環状空間１２ｄは、略Ｕ字状の断面を針１１を中心として３６０°回転させて形成される空き空間であって、針１１を取り囲む外周面が内壁面１２ａに該当し、ハブ１２の内周面が外壁面１２ｂをなし、前記内壁面１２ａと前記外壁面１２ｂを連結する水平面が底面１２ｃをなすことである。
【０１４０】
このとき、前記底面１２ｃには通孔１２ｅが形成されており、この通孔１２ｅを通過した薬液はシリンダ２０に送り出される。
【０１４１】
特に、このような前記環状空間１２ｄ内には、一方向弁手段３００及びろ過手段２００が位置するようになる。
【０１４２】
前記一方向弁手段３００は、シリンダ２０に作用する圧力の作用方向により自然に開閉されるものであって、例えば、シリコンのように柔らかな弾性材質からなり、図２１に示すように、円筒部３６０及び羽根部３７０からなっている。
【０１４３】
ここで、前記円筒部３６０は、一方向弁手段３００を固定させるための構成であって、前記注射針１０のハブ１２を取り囲んで結合され、このとき、前記ハブ１２には、このような一方向弁手段３００が分離されないように係止突部を形成することが好ましい。
【０１４４】
また、前記羽根部３７０の下方の傾斜した端部は、前記外壁面１２ｂに弾性的に接触することになる。
【０１４５】
その結果、薬液の吸引時、前記羽根部３７０の端部が、図２２に示すように、図面上において下方に変形しながら、一方向弁手段３００が開放され、薬液の注射時、前記羽根部３７０の端部が、図２３に示すように、環状空間１２ｄの外壁面１２ｂに当接し、一方向弁手段３００が閉鎖されることである。
【０１４６】
また、前記一方向弁手段３００と前記通孔１２ｅとの間の環状空間１２ｄ内には、微細なガラス片等の異物をろ過可能な周知のろ過手段２００が設けられている。
【０１４７】
これにより、薬液の吸引時、前記一方向弁手段３００を通過した薬液は、ろ過手段２００により異物がろ過された後、環状空間１２ｄの通孔１２ｅを経てシリンダに流入することである。
【０１４８】
このとき、キャップ１００は、薬液容器から薬液を吸引するためのものであって、吸引針１１０及びキャップハブ１２０で構成され、前記吸引針１１０の先端は、バイアル等を突き通すように傾斜して形成され、金属材または合成樹脂材からなり、高い剛性を有する。
【０１４９】
また、キャップハブ１２０は、このような吸引針１１０を支持するように一体で形成されたものであって、キャップハブ１２０の内周面は、注射針１０の針１１を支持するハブ１２の外周面と結合して気密を維持する。
【０１５０】
このとき、前記針１１を取り囲む開閉手段４００が、図２１に示すように、前記キャップ１００の内部に設けられる。
【０１５１】
このような開閉手段４００は、基本的に針１１を開閉させる機能と一緒に、汚染された薬液から針１１の外部が汚染することも防ぐことになる。
【０１５２】
すなわち、前記注射針１０の針１１は、薬液の吸引時、開閉手段４００によって閉鎖されていたが、薬液の注射時は、前記開閉手段４００を分離させ、針１１を開放させることである。
【０１５３】
特に、本発明において、前記開閉手段４００が気密空間４１０及びフランジ４２０を含んで構成することができる。
【０１５４】
これにより、前記開閉手段４００は、前記フランジ４２０を介して、前記キャップ１００のキャップハブ１２０の内周面に固定され、前記キャップ１００と一体で前記開閉手段４００が一緒に分離されることになる。
【０１５５】
特に、本発明では、前記注射針１０の針１１とハブ１２を互いに固定させる接着材料１３は、注射針１０を取り囲んで気密を維持する開閉手段４００の気密空間４１０内に収容され、薬液から隔離されることが好ましい。
【０１５６】
これを通じて、接着材料１３が薬液と接触して、接着材料１３の接着力を低下させ、または接着材料１３によって薬液の成分が変質することが防がれる。
【０１５７】
このような構成により、薬液の吸引流路は、キャップ１００と開閉手段４００との間の空間→一方向弁手段３００→ろ過手段２００→通孔１２ｅ→シリンダ２０からなり、薬液の注射流路は、シリンダ２０→注射針１０からなる。
【０１５８】
上述した本発明に係るフィルタ注射器は、一方向弁手段３００の開閉がシリンダ２０に作用する圧力の方向によるものであり、前記シリンダ２０に負圧が作用すると、図２２に示すように、一方向弁手段３００の羽根部３７０が外壁面１２ｂから離隔されることにより、キャップ１００と開閉手段４００との間に流入した薬液は、開放された一方向弁手段３００とろ過手段２００を経て通孔１２ｅからシリンダ２０に流入することである。
【０１５９】
これに対して、キャップ１００と開閉手段４００が分離された状態で、前記シリンダ２０に正圧が作用すると、図２３に示すように、一方向弁手段３００の羽根部３７０が外壁面１２ｂに接触することにより、シリンダ２０内の薬液は、閉鎖された一方向弁手段３００を通過せず、注射針１０から薬液が注射されることである。
【０１６０】
以上、単にシリンダ２０内に作用する圧力の方向により、前記一方向弁手段３００が開閉されるものと説明しているが、これに加えて、副次的にキャップ１００が組み立てられたか否かにより、前記一方向弁手段３００の開放を助ける構造としてもよい。
【０１６１】
これは、図２４に示すように、前記一方向弁手段３００には、前記キャップ１００の内周面に対応する突部３０１が形成され、前記羽根部３７０の変形を図ることが好ましい。
【０１６２】
すなわち、前記一方向弁手段３００の上部に突部３０１が突設され、このような突部３０１の高さは、キャップ１００が組み立てられたとき、前記キャップ１００の内周面に接触する高さに設計することで、前記キャップ１００が組み立てられ、前記キャップ１００の内周面が前記突部３０１に接触させることにより、前記一方向弁手段３００の羽根部３７０を変形させ、前記一方向弁手段３００の開放を誘導することもできる。
【０１６３】
この場合、前記突部３０１には、所定の間隔で流路が形成され、薬液の流れを阻止することはない。
【０１６４】
もちろん、このような突部３０１が、羽根部３７０から直接延設されてもよい。
【０１６５】
これに対して、図２５に示すように、前記キャップ１００の内周面には、前記一方向弁手段３００に対応する突起１２３が形成され、前記羽根部３７０の変形を図ることもできる。
【０１６６】
この場合、前記キャップ１００の内周面に突起１２３が形成され、この突起１２３の高さ及び位置は、キャップ１００が組み立てられたとき、一方向弁手段３００に接触する程度が好ましい。
【０１６７】
これにより、前記一方向弁手段３００の円筒部３６０に下方への力が作用し、これは、羽根部３７０の下方向への変形を誘導することになり、一方向弁手段３００の開放を図ることができる。
【０１６８】
このときも、前記突起１２３には、所定の間隔で流路が形成され、薬液の流れを阻止することはない。
【０１６９】
また、もちろん、このような突起１２３が、羽根部３７０に接触して直接延設され、前記突起１２３により、羽根部３７０が外壁面１２ｂから強制的に離隔しないようにすることも可能である。
【０１７０】
したがって、本発明に係るフィルタ注射器は、吸引流路の入口と注射流路の出口が完全に分離されており、ガラス片等の異物が薬液と一緒に吸引されることを根本的に予防することができ、必要に応じて、ろ過手段２００及び一方向弁手段３００を外装型で配置することができるので、ろ過手段２００や一方向弁手段３００のサイズに制限がなく、薬液の吸引をさらに小さな力で円滑に行うことができるという大きな利点を有する。
【０１７１】
上述した実施例は、本発明の技術的思想を具体的に説明するための一例であり、本発明の範囲は、上記した図面や実施例に限定されるものではない。
【符号の説明】
【０１７２】
１０    注射針
１１    針
１２    ハブ
１２ａ  内壁面
１２ｂ  外壁面
１２ｃ  底面
１２ｄ  環状空間
１２ｅ  通孔
１３    接着材料
２０    シリンダ
３０    プランジャ
１００  キャップ
１１０  吸引針
１２０  キャップハブ
１２１  ガイド溝
１２２  係止段
１２３  突起
２００  ろ過手段
３００  一方向弁手段
３０１  突部
３１０  弾性板
３１１  係止突部
３２０  回転板
３２１  通孔
３２２  回転突起
３２３  突起
３３０  固定円板
３３１  通孔
３３２  回転防止凹溝
３４０  通孔
３４１  回転防止突起
３４２  固定段
３５０  弾性バンド
３５１  流通孔
３５２  溝部
３６０  円筒部
３７０  羽根部
４００  開閉手段
４１０  気密空間
４２０  フランジ
５００  コネクター
６００  気密手段
【図１】
0006529664.tif 000002
【図２】
0006529664.tif 000003
【図３】
0006529664.tif 000004
【図４】
0006529664.tif 000005
【図５】
0006529664.tif 000006
【図６】
0006529664.tif 000007
【図７】
0006529664.tif 000008
【図８】
0006529664.tif 000009
【図９】
0006529664.tif 000010
【図１０】
0006529664.tif 000011
【図１１】
0006529664.tif 000012
【図１２】
0006529664.tif 000013
【図１３】
0006529664.tif 000014
【図１４】
0006529664.tif 000015
【図１５】
0006529664.tif 000016
【図１６】
0006529664.tif 000017
【図１７】
0006529664.tif 000018
【図１８】
0006529664.tif 000019
【図１９】
0006529664.tif 000020
【図２０】
0006529664.tif 000021
【図２１】
0006529664.tif 000022
【図２２】
0006529664.tif 000023
【図２３】
0006529664.tif 000024
【図２４】
0006529664.tif 000025
【図２５】
0006529664.tif 000026